(57)【特許請求の範囲】
【請求項１】
下端に配管への取付部を有する本体と、その上端開放面を塞いだカバー体と、前記本体とカバー体とに囲まれて前記配管に連通する吸排気室に装入した浮子の昇降に応じて開閉し前記吸排気室に溜った空気を大気へ排出する排気弁と、前記吸排気室が負圧となったとき開弁して空気を導入する吸気弁とを具えており、前記排気弁の出口側に位置して空気を排出する通路および前記吸気弁の入口側に位置して空気を吸込む通路が前記カバー体に形成した単一の吸排気路とされている吸排気弁において、前記吸排気路に先端を下向きの縦部とした継手管が接続されているとともに、前記排気弁および吸気弁の閉弁不良による流出水を排水溝に誘導する導管が前記縦部に接続されており、前記継手管および導管を大気に連通する通気口が前記縦部に設けられている、ことを特徴とする吸排気弁。
【発明の詳細な説明】
【０００１】
【発明の属する技術分野】
本発明は給水用または給湯用配管に取付けられて管内の負圧を破壊すること、および管内の空気を排出することに用いられる吸排気弁に関するものである。
【０００２】
【従来の技術】
例えば中、高層集合住宅などの建築物における給水システムとして、受水槽なしで直接給水が可能な増圧直結給水システムが多く採用されている。この給水システムにおいて、配管設備の保護や給水の安定化を計るためには、配管頂部に管内の負圧を破壊し、また管内の空気を排出する装置を設置することが必要であり、一部の自治体ではこのような装置の設置を義務づけている。
【０００３】
そのための手段として、管内の負圧を破壊する吸気弁と管内の空気を排出する排気弁とを個別に配管に取付ける代りに、これらを一体化して配管への取付けを簡単にしたものが提案されている。
【０００４】
このものは、図４および図５に示したように下端に配管への取付部５１を設けた円筒形の本体５２に浮子５３を昇降自由に装入し、本体５２にその上端開放面を塞いで装着したカバー体５４に取付けた弁座５５と浮子５３の昇降に応じて傾動する弁体５６とによって構成される排気弁５７，およびカバー体５４の内部に設けた弁座５８と前後の差圧に応じて直線動する弁体５９とによって構成される吸気弁６０を具えたものである。
【０００５】
そして、取付部５１によって配管の頂部に直立状態で取付けることにより、本体５２とカバー体５４とに囲まれた吸排気室６１が取付部５１の連通孔６２を経て配管内部と連通し、配管内の水が吸排気室６１に入ってほぼ充満している状態で排気弁５７，吸気弁６０はともに閉弁している。
【０００６】
配管内の水に空気が混入しているとき、この空気は配管頂部で分離して吸排気室６１に入りその内部の水位を低下させ、或る水位以下に低下すると浮子５３の下降によって排気弁５７の弁体５６が弁座５５から離れ、空気は弁座５５の弁座口６３からカバー体５４に形成した排気口６４を経て排出されることとなる。
【０００７】
一方、減水や断水により配管内に負圧が発生したときは、吸排気室６１も負圧となることによって吸気弁６０の弁体５９が吸引されて弁座５８から離れ、カバー体５４に形成した吸気口６５から弁座５８の弁座口６６，弁室６７，送入口６８を経て吸排気室６１に空気が導入されて負圧を解消することとなる。
【０００８】
尚、配管を流れる水にごみのような固形異物が混入していてこれが吸排気室６１に入り、排気弁５７や吸気弁６０の弁座５５，５８，弁体５６，５９に付着して閉弁不良になる、という万一のトラブルを生じると排気口６４や吸気口６５から水が流出する。このような不測の事態に備えて排気口６４および吸気口６５に導管６９，７０を接続して流出した水を最寄りの排水溝に誘導し、水漏れ事故を生じさせないようにすることもある。
【０００９】
【発明が解決しようとする課題】
前記の図４，図５に示したものは排気弁５７と吸気弁６０とを共通の本体５２，カバー体５４に組込んだため配管への取付けが一個所となって設置が簡単になるという利点をもっている。
【００１０】
しかしながら、排気弁５７を通って排出させる空気の排気口６４と吸気弁６０を通って導入する空気の吸気口６５とが別個に設けられているので、カバー体５４ひいては全体を充分に小形化することができず、場所によっては設置が困難なことがある。
【００１１】
また、導管６９，７０を接続したものにあっては二本の管またはホースが必要であり、それらの設置スペースを確保しなければならない。加えて、異物や汚物の詰まりによって排水溝から汚水が溢れるというトラブルを発生したとき、排水溝と排気口６４，吸気口６５との落差によっては、排気弁５７および吸気弁６０殊に吸気弁６０の開弁時に汚水が導管６９，７０を通って吸排気室６１に流入し、配管内の水を汚染するという心配がある。
【００１２】
本発明は排気弁と吸気弁とを一つにまとめて配管への取付けを簡単化した前記従来のものがもっている充分な小形化が計れない。設置困難なことがあるという課題およびこれらに加えて汚水流入の心配があるという課題の解決を計ったものである。
【００１３】
【課題を解決するための手段】
即ち、前記課題を解決するために、本発明は下端に配管への取付部を有する本体と、その上端開放面を塞いだカバー体と、本体とカバー体とに囲まれて配管に連通する吸排気室に装入した浮子の昇降に応じて開閉し吸排気室に溜った空気を大気へ排出する排気弁と、吸排気室が負圧となったとき開弁して空気を導入する吸気弁とを具えたものであって、排気弁の出口側に位置して空気を排出する通路および吸気弁の入口側に位置して空気を吸込む通路をカバー体に形成した単一の吸排気路とした。
【００１４】
このようにカバー体に設けられる排気用の通路と吸気用の通路とを共通の吸排気路としたことにより、カバー体ひいては本体を含めた全体を充分に小形化して狭い場所でも設置可能とすることができる。また、閉弁不良による流出水を排水溝に誘導する導管も一本となるので、その設置スペースも狭くてよい。
【００１５】
特に、本発明は前記のものに加えて、吸排気路に先端を下向きの縦部とした継手管を接続するとともに、流出水を誘導する導管を縦部に接続し、且つ継手管および導管を大気に連通する通気口を縦部に設けたことを特徴とする。
【００１６】
このように、通気口を有する下向きの縦部に導管を接続したことにより、汚水が導管に侵入しているときに吸気弁が開弁しても汚水を吸排気室に吸込み流入させるという心配がなくなるものである。
【００１７】
【発明の実施の形態】
図面を参照して本発明の実施の形態を説明すると、図１，図２および図３において、下端に短管状の取付部２を突設した有底で上面開放の円筒形本体１に、その上端開放面を塞いでカバー体５がＯリング６を挟み込んでねじ嵌合により気密に装着されている。取付部２は雄ねじ３を有しており、水道水または温水の配管頂部にねじ込み装着することにより、本体１とカバー体５とに囲まれた吸排気室７が取付部２の連通孔４を経て配管内部と連通する。
【００１８】
吸排気室７には浮子８が装入されており、この浮子８は上下両端に形成した凹凸状のフランジ８ａを本体１にほぼ内接させて傾くことなく昇降し、水および空気はフランジ８ａの凹部８ｂを通って上下に流通する。
【００１９】
浮子８の頂面に設けたフック９にレバー１０の基部が係合しており、このレバー１０の先端部に取付けた弁体１１がカバー体５にねじ込み固定して吸排気室７の頂部に下向き突設させた弁座１２に接するようになっている。また、弁座１２を挟んで吸排気室７の頂部に設けた下向きコ形のハンガ部片１３に棒状のばね部材１４が取付けられており、このばね部材１４は弁体１１に結合されている。
【００２０】
即ち、弁体１１はばね部材１４のハンガ部片１３への取付け個所を中心として回動するものであり、カバー体５の下端縁５ａに接した最大上昇位置と本体１の底１ａに接した最大下降位置との間で昇降する浮子８に連動して弁座１２に着座し、或いは斜めに離間する。尚、弁体１１はハンガ部片１３に非弾性的に取付けてもよいが、図示形態のようにばね部材１４により弾性的に取付けると吸排気室７の水位変化に応じたレバー１０の動きが鈍化し、弁体１１を不安定にしないという効果がある。
【００２１】
以上の弁体１１，弁座１２，ハンガ部片１３，ばね部材１４はレバー１０を介して浮子８により開閉する排気弁１６を構成する。
【００２２】
カバー体５にはその一つの直径上に位置させて吸排気路１７と吸気弁２５とが配置されている。弁座１２の弁座口１５は吸排気路１７に開口しており、弁体１１が弁座１２から離れたとき吸排気室７を吸排気路１７に連通させる。
【００２３】
吸気弁２５は吸排気路１７の奥端に設置された弁座１８と、更にその奥に配置された弁体案内１９に弁軸２０ａを嵌装して直線動する弁体２０とを具えており、吸排気路１７は弁座１８の弁座口２１，弁体２０が装入された弁室２２，弁体案内１９に設けた通孔１９ａ，背室２３，送入口２４を経て吸排気室７の頂端に連通する。弁体２０は吸排気室７と吸排気路１７との圧力差によって直線往復動し、通常は弁座１８に着座しているが吸排気室７が負圧となったときこの負圧に吸引されて弁座１８から離間するようにされており、従って吸気弁２５は逆止弁である。
【００２４】
吸排気路１７はカバー体５の一側面に開放しており、この開口端に継手管２６がねじ嵌合により接続されている。この継手管２６は吸排気路１７の延長上に位置する横部２６ａとその先端から下方へ直角に曲げられた縦部２６ｂとからなり、縦部２６ｂに螺装したナット部片２７に導管３０がねじ嵌合により接続されている。
【００２５】
ナット部片２７は周方向に並べた複数個の通気口２８を有しているとともに、通気口２８を覆ってフィルタ２９が装着されており、また導管３０は先端を最寄りの排水溝に向けて開口するように設置される。
【００２６】
このような実施の形態に係る吸排気弁は配管頂部に直立状態で取付け、連通孔４を経て吸排気室７を配管内部と連通させて設置するものであり、排気弁１６と吸気弁２５とが一つにまとめられて共通の取付部２によって配管に取付けられることにより取付けが一個所でよく、設置が簡単であるという図４，図５のものと同様の利点がある。
【００２７】
そして、通常は配管内の水圧によって吸排気室７の内部は水がほぼ充満しており、排気弁１６は浮子８がほぼ最大限に上昇していることによって閉弁しているとともに、吸気弁２５は吸排気室７，送入口２４，背室２３に封入され水圧と平衡している空気の圧力によって閉弁している。
【００２８】
配管内の水に空気が混入しているとき、この空気は配管頂部に開口している連通孔４に入って配管内の水から分離し、吸排気室７の頂部に上昇して空気溜りを作る。この空気が増加するに従って吸排気室７の水位が低下して浮子８が下降し、或る位置まで下降してレバー１０が或る角度に傾いたとき、ばね部材１４により閉弁位置に保持されていた弁体１１が回動して斜めとなり、弁座１２から離間してその弁座口１５を開放する。
【００２９】
これにより、空気が弁座口１５，吸排気路１７，継手管２６を通って通気口２８から、或いは更に導管３０を通ってその先端から大気へ排出される。このようにして吸排気室７の空気が排出され水位が高くなると、浮子８の上昇によって排気弁１６が閉弁する。
【００３０】
一方、減水や断水によって配管内に負圧が発生したとき、吸排気室７の内部も負圧となる。このとき、吸気弁２５の弁体２０は負圧に吸引されて弁座１８から離間し、導管３０の先端或いは通気口２８から継手管２６，吸排気路１７，弁座口２１，弁室２２，通孔１９ａ，背室２３，送入口２４を経て吸排気室７に大気を吸引導入して負圧を破壊する。負圧が解消された後は、吸排気室７の水圧と平衡する空気の圧力によって弁体２０が弁座１８に着座し、吸気弁２５は閉弁することとなる。
【００３１】
このように、排気弁１６の出口側に位置して大気へ排出する空気および吸気弁２５の入口側に位置して吸排気室７に導入する空気を吸込む通路を共通の吸排気路１７としたことにより、カバー体５ひいては本体１を含む全体を充分に小形化することができ、狭い場所にも設置可能である。
【００３２】
また、配管を流れる水に混入した固形異物が吸排気室７に入り、排気弁１６更には吸気弁２５の弁座１２，１８，弁体１１，２０に付着して閉弁不良になる、という万一のトラブルを生じると吸排気路１７を通って水が流出する。この水がそのまま周囲に落下して水漏れ事故を生じることのないように最寄りの排水溝に誘導するため吸排気路１７に接続した導管３０は一本である。従って、その設置スペースも狭くて足り、設置容易である。
【００３３】
更に、継手管２６の基端側横部２６ａを吸排気路１７に接続してその下向き縦部２６ｂに導管３０を接続しているとともに、吸排気路１７および継手管２６は導管３０の先端と通気口２８の二個所で大気と連通している。
【００３４】
このことにより、排水溝の詰まりによって汚水が溢れ導管３０に侵入しているとき、負圧破壊のため吸気弁２５が開弁した場合に空気を通気口２８から吸込み、排水溝と吸排気路１７との落差が小さくても汚水を吸引して吸排気室７に流入させるということがない。
【００３５】
【発明の効果】
以上のように本発明によると、小形で狭い場所でも設置が可能であるばかりか、流出水の導管も一本となって広い設置スペースが不要となり、狭い配管スペースに容易に設置して配管を保護させることができるものである。
【００３６】
また、汚水が導管に侵入しても吸排気室に流入させないので配管内の水を汚染するという心配がなく、安全に使用することができるものである。
【図面の簡単な説明】
【図１】本発明の実施の形態を示す縦断面図。
【図２】図１のＡ−Ａ線に沿う断面図。
【図３】図１の右側面図。
【図４】従来例の縦断面図。
【図５】図４のＢ−Ｂ線に沿う断面図。
【符号の説明】
１  本体，  ２  取付部，  ５  カバー体，  ７  吸排気室，  ８  浮子，  １６  排気弁，  １７  吸排気路，  ２５  吸気弁，  ２６  継手管，  ２６ｂ縦部，  ２８  通気口，  ３０  導管，
【図１】
0004324888.tif 000002
【図２】
0004324888.tif 000003
【図３】
0004324888.tif 000004
【図４】
0004324888.tif 000005
【図５】
0004324888.tif 000006